(57)【要約】【課題】ウェハを露光装置に搬送する際の搬送時間を短縮したウェハローダ、及び、そのようなウェハローダを備えた露光装置を提供する。【解決手段】ウェハカセット１０には、ヒータ１７と温度センサ１９が備えられており、同室は大気温度よりも２〜３℃高い温度に昇温されている。ウェハＷはウェハカセット１０で保管されている間に、大気温度よりも高い温度に昇温される。これにより、ロードロック室２７を真空に引く際に、気体の断熱膨張によりウェハＷの温度が低下しても元の温度程度となり、ウェハＷの変形が起こらない。また、ウェハＷの保管時間内にウェハを昇温するため、ウェハを昇温する時間を別に設ける必要がない。【選択図】      図１
2005032907.tif 000002
【特許請求の範囲】
【請求項１】
真空下でパターンを形成する露光装置に感応基板（ウェハ）を供給するウェハローダであって、
前記感応基板の大気中での保管中に、該感応基板を昇温する手段を備えることを特徴とするウェハローダ。
【請求項２】
前記感応基板を大気中で保管するカセットに、前記昇温手段が設けられていることを特徴とする請求項１記載のウェハローダ。
【請求項３】
前記昇温手段は、真空下の断熱冷却による前記感応基板の温度の低下分にほぼ等しい温度だけ、前記感応基板を昇温することを特徴とする請求項１又は２記載のウェハローダ。
【請求項４】
真空下において、マスク（レチクル含む）上のパターンをエネルギ線を用いて感応基板上に転写する露光装置であって、
請求項１、２又は３記載のウェハローダを備えることを特徴とする露光装置。
【発明の詳細な説明】
【０００１】
【発明の属する技術分野】
本発明は、半導体集積回路等のリソグラフィに用いられる露光装置及びそのような露光装置に感応基板（ウェハ）を供給するウェハローダに関する。特には、真空下で露光を行う、電子ビームやイオンビーム等の荷電粒子線やＸ線を用いた露光装置などに関する。
【０００２】
【従来の技術】
電子ビーム露光装置のように真空雰囲気下で露光を行う装置においては、ウェハ（感応基板）は、大気雰囲気中におかれているカセットから取り出されてプリアライナ装置等でプリアライメントされた後、ロードロック室と呼ばれる室やロードチャンバに搬送される。ロードロック室には真空ポンプが付設されており、室内を真空に引くことができる。ロードロック室では、プリアライナから常圧下でウェハを受け取り、室内を真空に引いた後、これらを露光装置内に移動する。
【０００３】
図３は、カセットから露光装置へウェハを供給するウェハローダの従来例を模式的に説明する平面図である。図中の矢印はウェハの搬送経路を示す。
複数枚のウェハが収容されるウェハカセット６０、第１プリアライナ７１、ロボットアーム７３は、大気中に配置されている。ロボットアーム７３の近傍には、ウェハ加熱用のランプ７４が配置されている。
【０００４】
ロードロック室７７の入口にはゲートバルブ７９が設けられている。また、ロードロック室７７は、ゲートバルブ８１を介してウェハ真空ロードチャンバ８３に接続している。同チャンバ８３内には、真空ロボットアーム８５が配置されている。ウェハ真空ロードチャンバ８３はゲートバルブ８９を介してプリアライナチャンバ９１に接続している。同チャンバ９１内には、第２プリアライナ９３が備えられている。また、ウェハ真空ロードチャンバ８３は、ゲートバルブ９５を介して露光装置１００のウェハチャンバ１０６に接続している。同チャンバ１０６内には、ウェハステージ１３１が備えられており、同ステージ１３１上にはウェハホルダ１３０が設けられている。
【０００５】
ウェハＷをカセット６０から露光装置１００内に搬送するには、まず、ロボットアーム７３でカセット６０から一枚のウェハを取り出し、第１プリアライナ７１に搬送する。プリアライメント終了後、ロボットアーム７３でウェハＷを取り出し、ランプ７４の上方に移動させる。そして、ランプ７４をウェハに照射してウェハを加熱する。その後、ゲートバルブ７９を開けてウェハＷをロードロック室７７に搬送し、ゲートバルブ７９を閉めてロードロック室７７を真空に引く。目的の真空度に達すると、真空ロードチャンバ８３側のゲートバルブ８１を開いて、真空ロボットアーム８５でウェハを取り出し、プリアライナチャンバ９１に搬送し、第２プリアライナ９３でより高精度なプリアライメントを行う。アライメント終了後、真空ロボットアーム８５でウェハを取り出し、ゲートバルブ９５を開けてウェハチャンバ１０６内のウェハステージ１３１上のホルダ１３０に載置する。
【０００６】
通常、ロードロック室７７を真空排気する際、気体の断熱膨張により同室内に置かれたウェハの温度が２〜４℃程度低下する。このように温度が低下すると、温度変化によってウェハが歪むことがある。一例では、径が２００ｍｍのＳｉウェハにおいて、１℃の温度変化で約０．５μｍの寸法変化が生じる。このような寸法変化により高精度パターンを得ることができなくなる。したがって、温度が元の温度に上昇するまで数十分間待機したり、露光前にアライメントを何度もやり直す必要がある。
【０００７】
そこで、上述のように、大気中でのプリアライメント終了後に、ランプ７４によってウェハを予め加熱している。これにより、ロードロック室７７で真空排気する際、気体の断熱膨張により室内に置かれたウェハの温度が低下しても、ウェハの温度は元の標準温度程度に戻るため、ウェハの温度変化による寸法変化が起きない。
【０００８】
【発明が解決しようとする課題】
しかし、この方法では、ウェハ１枚につき数秒間のランプ照射が行われるため、ランプの照射時間がウェハの搬送時間に加わって搬送時間が長くなり、スループットを低下させてしまう。
【０００９】
本発明は上記の問題点に鑑みてなされたものであって、ウェハを露光装置に搬送する際の搬送時間を短縮したウェハローダ、及び、そのようなウェハローダを備えた露光装置を提供することを目的とする。
【００１０】
【課題を解決するための手段】
上記課題を解決するため、本発明のウェハローダは、  真空下でパターンを形成する露光装置に感応基板（ウェハ）を供給するウェハローダであって、  前記感応基板の大気中での保管中に、該感応基板を昇温する手段を備えることを特徴とする。
本発明においては、  前記感応基板を大気中で保管するカセットに、前記昇温手段が設けられていることとできる。
【００１１】
カセット内にウェハを保管している間にウェハを昇温させておくことにより、昇温されたウェハがプリアライナ後にロードロック室に搬送される。この間は、数秒間であるためウェハの温度は大きく低下せず、真空排気する際、気体の断熱膨張によりウェハの温度が低下しても、ウェハの温度は元の標準温度程度に戻る。このように、保管中に昇温させておくことにより、ウェハの昇温時間を別に設ける必要がなくなる。
【００１２】
本発明によれば、  前記昇温手段は、真空下の断熱冷却による前記感応基板の温度の低下分にほぼ等しい温度だけ、前記感応基板を昇温することが好ましい。
【００１３】
本発明の露光装置は、  真空下において、マスク（レチクル含む）上のパターンをエネルギ線を用いて感応基板上に転写する露光装置であって、上記に記載のウェハローダを備えることを特徴とする。
ウェハの保管中に、ウェハを昇温するため、ウェハを昇温する時間を別に設ける必要がない。このため、従来の例に比べてスループットが向上した露光装置を提供できる。
【００１４】
【発明の実施の形態】
以下、図面を参照しつつ説明する。
図１は、本発明の実施の形態に係るウェハローダを模式的に説明する図であり、図１（Ａ）はウェハローダ全体の平面図、図１（Ｂ）は一部側面図である。
図２は、図１のウェハローダを備える露光装置の光学系全体における結像関係及び制御系の概要を示す図である。
まず、図２を参照して、露光装置全体の構成を説明する。
電子線露光装置１００の上部には、光学鏡筒１０１が配置されている。光学鏡筒１０１には、真空ポンプ（図示されず）が接続されており、光学鏡筒１０１内を真空排気している。
【００１５】
光学鏡筒（マスクチャンバも含む）１０１の上部には、電子銃１０３が配置されており、下方に向けて電子線を放射する。電子銃１０３の下方には、順にコンデンサレンズ１０４、電子線偏向器１０５、マスクＭが配置されている。電子銃１０３から放射された電子線は、コンデンサレンズ１０４によって収束され、続いて、偏向器１０５により図の横方向に順次走査され、光学系の視野内にあるマスクＭの各小領域（サブフィールド）の照明が行われる。なお、照明光学系は、ビーム成形開口やブランキング開口等（図示されず）も有している。
【００１６】
マスクＭは、マスクステージ１１１の上部に設けられたチャック１１０に静電吸着等により固定されている。マスクステージ１１１は、マウントボディ１１６に載置されている。
【００１７】
マスクステージ１１１には、図の左方に示す駆動装置１１２が接続されている。駆動装置１１２は、ドライバ１１４を介して、制御装置１１５に接続されている。また、マスクステージ１１１には、図の右方に示すレーザ干渉計１１３が設置されている。レーザ干渉計１１３は、制御装置１１５に接続されている。レーザ干渉計１１３で計測されたマスクステージ１１１の正確な位置情報が制御装置１１５に入力される。それに基づき、制御装置１１５からドライバ１１４に指令が送出され、駆動装置１１２が駆動される。このようにして、マスクステージ１１１の位置をリアルタイムで正確にフィードバック制御することができる。
【００１８】
マウントボディ１１６の下方には、ウェハチャンバ１０６（真空チャンバ）が示されている。ウェハチャンバ１０６には、真空ポンプ（図示されず）が接続されており、チャンバ内を真空排気している。ウェハチャンバ１０６には、真空ロードチャンバ３３やロードロック室２７等から構成されるウェハ搬送機構（ウェハローダ）が接続している。このウェハ搬送機構については後述する。
【００１９】
ウェハチャンバ１０６内の投影光学系鏡筒（図示されず）には、プロジェクションレンズ１２４、偏向器１２５等が配置されている。さらにその下方のウェハチャンバ１０６の底面上には、ウェハステージ（精密機器）１３１が載置されている。ウェハステージ１３１の上部には、チャック１３０が設けられており、静電吸着等によりウェハＷが固定されている。
【００２０】
マスクＭを通過した電子線は、プロジェクションレンズ１２４により収束される。プロジェクションレンズ１２４を通過した電子線は、偏向器１２５により偏向され、ウェハＷ上の所定の位置にマスクＭの像が結像される。なお、投影光学系は、各種の収差補正レンズやコントラスト開口（図示されず）なども有している。
【００２１】
ウェハステージ１３１には、図の左方に示す駆動装置１３２が接続されている。駆動装置１３２は、ドライバ１３４を介して、制御装置１１５に接続されている。また、ウェハステージ１３１には、図の右方に示すレーザ干渉計１３３が設置されている。レーザ干渉計１３３は、制御装置１１５に接続されている。レーザ干渉計１３３で計測されたウェハステージ１３１の正確な位置情報が制御装置１１５に入力される。それに基づき、制御装置１１５からドライバ１３４に指令が送出され、駆動装置１３２が駆動される。このようにして、ウェハステージ１３１の位置をリアルタイムで正確にフィードバック制御することができる。
【００２２】
次に、図１を参照して、この露光装置のウェハローダについて説明する。
図１（Ａ）に示すように、複数枚のウェハが収容されるウェハカセット（容器）１０、第１プリアライナ２１、搬送用ロボットアーム２３は、大気中に配置されている。
【００２３】
ウェハカセット１０は、図１（Ｂ）に示すように、本体１１と、開閉扉１３を備える。本体１１の内部には、ウェハＷを支持する複数の棚１５が設けられている。本体１１内には、ヒータ１７と、温度センサ１９が備えられている。そして、温度センサ１９で計測される本体１１内の温度が、常に大気温度よりも２〜４℃高くなるように、ヒータ１７の動作が制御されている。
【００２４】
図１（Ａ）に示すように、第１プリアライナ２１は、ロードロック室２７の近傍に配置されている。ロードロック室２７の入口には、ゲートバルブ２９が設けられている。また、ロードロック室２７は、ゲートバルブ３１を介してウェハ真空ロードチャンバ３３に接続している。ウェハ真空ロードチャンバ３３内には、ウェハ搬送用真空ロボットアーム３５が配置されている。ウェハ真空ロードチャンバ３３はゲートバルブ３９を介してプリアライナチャンバ４１に接続している。同チャンバ４１内には、第２プリアライナ４３が備えられている。また、ウェハ真空ロードチャンバ３３は、ゲートバルブ４５を介して露光装置１００のウェハチャンバ１０６に接続している。同チャンバ１０６内には、ウェハステージ１３１が備えられており、ウェハステージ１３１上にはウェハホルダ１３０が設けられている。
【００２５】
次に、ウェハＷの搬送手順について説明する。
まず、カセット１０の扉１３を開け、ウェハ搬送用ロボットアーム２３で本体１１からウェハＷを取り出す。カセット１０内は、大気温度よりも２〜４℃高い温度に昇温されているため、ウェハＷの温度は大気温度よりも２〜４℃高い温度に維持されている。この昇温されたウェハＷを、第１プリアライナ２１に搬送し、プリアライメントを行う。プリアライメント時間は約４秒と短いため、この間に、ウェハＷの温度はほとんど低下しない。
【００２６】
プリアライメント終了後、ロボットアーム２３で第１プリアライナ２１からウェハＷを取り出し、ゲートバルブ２９を開けて、ロードロック室２７に搬送する。そして、ゲートバルブ２９を閉めてロードロック室２７を真空に引く。このとき、ウェハＷは気体の断熱膨張により温度が低下するが、その分ウェハの温度を予め上昇させているため、温度が低下しても元の温度程度となる。目的の真空度に達すると、ウェハ真空ロードチャンバ３３側のゲートバルブ３１を開いて、同チャンバ３３内のウェハ搬送用真空ロボットアーム３５で、ロードロック室２７からウェハＷを取り出し、真空ロードチャンバ３３内の待機位置に搬送し、ゲートバルブ３１を閉じる。
【００２７】
その後、ゲートバルブ３９を開けて、ウェハ搬送用真空ロボットアーム３５でウェハをプリアライナチャンバ４１内の第２プリアライナ４３に搬送し、より高精度なプリアライメントを行う。アライメント終了後、ウェハ搬送用真空ロボットアーム３５でウェハを取り出し、ゲートバルブ４５を開けてウェハチャンバ１０６内のウェハステージ１３１上のホルダ１３０に載置する。露光動作が終了した後、ウェハ搬送用真空ロボットアーム３５で、ウェハＷをステージ１３１から取り出し、ロードロック室２７を経てカセット１０に戻す。
【００２８】
【発明の効果】
以上の説明から明らかなように、本発明によれば、ウェハ保管中にウェハを昇温するため、ウェハを昇温するためだけの工程が不要になる。したがって、ウェハを加熱する時間を別に設ける必要がないため、従来の例に比べてスループットを向上できる。
【図面の簡単な説明】
【図１】本発明の実施の形態に係るウェハローダを模式的に説明する図であり、図１（Ａ）はウェハローダ全体の平面図、図１（Ｂ）は一部側面図である。
【図２】図１のウェハローダを備える露光装置の光学系全体における結像関係及び制御系の概要を示す図である。
【図３】カセットから露光装置へウェハを供給するウェハローダの従来例を模式的に説明する平面図である。
【符号の説明】
１０  ウェハカセット                    １１  本体
１３  開閉扉                            １５  棚
１７  ヒータ                            １９  温度センサ
２１  プリアライナ
２３  ウェハ搬送用ロボットアーム        ２７ロードロック室
２９  ゲートバルブ                      ３３  ウェハ真空ロードチャンバ
３５  ウェハ搬送用真空ロボットアーム    ３９  ゲートバルブ
４１  プリアライナチャンバ              ４３  第２プリアライナ
４５  ゲートバルブ
１００  電子線露光装置                    １０１  光学鏡筒
１０３  電子銃                            １０４  コンデンサレンズ
１０５  電子線偏向器                      １０６  ウェハチャンバ
１１０  チャック                          １１１  マスクステージ
１１２  駆動装置                          １１３  レーザ干渉計
１１４  ドライバ                          １１５  制御装置
１１６  マウントボディ                    １２４  プロジェクションレンズ
１２５  偏向器                            １３０  チャック
１３１  ウェハステージ                    １３２  駆動装置
１３３  レーザ干渉計                      １３４  ドライバ
【図１】
2005032907.tif 000003
【図２】
2005032907.tif 000004
【図３】
2005032907.tif 000005